(57)【要約】      （修正有）【課題】着信呼に応答するのに声を出すのが憚られる場所や状態にある場合がある。この時、相手に誤解を招かない応答をする。【解決手段】携帯電話で通話中に、属性設定画面で男性、女性、子供の別、及び感情を設定し（Ｓ１３）、ダイヤル文字列設定画面で相手に伝えたい内容を示す文字列を選択する（Ｓ１４）。次に、選択した文字列から音韻情報の生成（Ｓ１５）と韻律情報の生成を行う（Ｓ１６）。その後、属性設定画面で設定した属性に対応した声質情報に合った声質で、前述の選択した文字列を読み上げた時の音声データを合成する（Ｓ１７）。そうしてできた音声データを送信することで、携帯電話に向かって話すことなく、感情の籠もった声で相手に伝えることができる。【選択図】図９
2007096713.tif 000002
【特許請求の範囲】
【請求項１】
各種キーと、
各種情報を表示する表示手段と、
音声を音声データとして入力する音声入力手段と、
他の端末に前記音声データを送信する送信手段と、
前記他の端末から送られる音声データを受信する受信手段と、
前記受信手段によって受信した音声データを音声として出力する音声出力手段とを備えた通信端末装置において、
テキストを前記表示手段に表示しながら設定するテキスト設定手段と、
前記テキストに対して属性を設定する属性設定手段と、
各種の属性に対応した声質データを記憶する声質データ記憶手段と、
前記声質データ記憶手段に記憶され、前記属性設定手段で設定された属性に対応する声質データの示す声質の音声データに合成する音声合成手段とを備え、
前記音声合成手段により合成した音声データを前記送信手段によって前記他の端末に送信することにより、前記他の端末に音声を送信することを特徴とする通信端末装置。
【請求項２】
前記属性は、少なくとも性別、幼老、感情の何れかを含むことを特徴とする請求項１に記載の通信端末装置。
【請求項３】
前記テキスト設定手段は、複数のテキストの候補を記憶したテキスト候補記憶手段と、
前記テキスト候補記憶手段に記憶した前記テキストの候補の中から所望のテキストを指定するテキスト指定手段とを備えていることを特徴とする請求項１または２に記載の通信端末装置。
【請求項４】
前記テキスト指定手段は、前記属性に対応したテキストの候補のみから指定するように構成したことを特徴とする請求項３に記載の通信端末装置。
【請求項５】
前記テキスト設定手段は、文字キーによってテキストを入力するように構成したことを特徴とする請求項１または２に記載の通信端末装置。
【請求項６】
前記通信端末装置が携帯電話であることを特徴とする請求項１乃至５の何れかに記載の通信端末装置。
【請求項７】
第１通信端末装置と、第２通信端末装置とを含む複数の端末装置がネットワークで接続されてなる通信システムにおいて、
第１通信端末装置は、
各種キーと、
各種情報を表示する表示手段と、
音声を音声データとして入力する音声入力手段と、
前記第２通信端末装置に当該音声データを含む転送データを送信する送信手段と、
テキストを前記表示手段に表示しながら設定するテキスト設定手段と、
前記テキストに対して属性を設定する属性設定手段とを備え、
前記第２通信端末装置は、
前記第１通信端末装置から送られる前記転送データを受信する受信手段と、
前記受信手段によって受信した転送データに含まれる音声データを音声として出力する音声出力手段とを備え、
前記第１通信端末装置と前記第２通信端末装置との通信を行うにあたり、
前記第１通信端末装置と前記第２通信端末装置とを前記ネットワークで結んだ経路上に、
各種の属性に対応した声質データを記憶する声質データ記憶手段と、
前記声質データ記憶手段に記憶され、前記属性設定手段で設定された属性に対応する声質データに基づき、前記テキストから音声データを合成する音声合成手段とを備え、
前記第１通信端末装置において前記テキスト設定手段によって設定した前記テキストに対応し、前記音声合成手段により合成した音声データを前記第２通信端末装置の音声出力手段によって音声として出力することを特徴とする通信システム。
【請求項８】
前記属性は、少なくとも性別、幼老、感情の何れかを含むことを特徴とする請求項７に記載の通信システム。
【請求項９】
前記テキスト設定手段は、複数のテキストの候補を記憶したテキスト候補記憶手段と、
前記テキスト候補記憶手段に記憶した前記テキストの候補の中から所望のテキストを指定するテキスト指定手段とを備えていることを特徴とする請求項７または８に記載の通信システム。
【請求項１０】
前記テキスト指定手段は、前記属性に対応したテキストの候補のみから指定するように構成したことを特徴とする請求項９に記載の通信システム。
【請求項１１】
前記テキスト設定手段は、文字キーによってテキストを入力するように構成したことを特徴とする請求項７または８に記載の通信システム。
【請求項１２】
前記第１通信端末装置及び前記第２通信端末装置の少なくとも一方が携帯電話であることを特徴とする請求項７乃至１１の何れかに記載の通信システム。
【発明の詳細な説明】
【技術分野】
【０００１】
本発明は、通話可能な通信端末装置及び通話可能な通信端末装置を備えた通信システムに関し、特に、声を出すのが憚られる場所や状態での使用に適した通信端末装置及び通信システムに関する。
【背景技術】
【０００２】
従来より、携帯電話では、声を出して話すため、話を聞かれたくない人の前や、電車の中、会議中などでは対応に困ることが多い。そのため、使用者が話さなくとも相手に音声で伝えるために、圧力センサ板を備えて、それに文字を書き、文字認識させた内容を送信者の音声波形に近い波形に変換して、それを送信するようにしたプライバシー保護用携帯電話装置が提案されている（例えば、特許文献１参照）。
【特許文献１】特開昭６２−２４５８２４号公報
【発明の開示】
【発明が解決しようとする課題】
【０００３】
しかしながら、送信者の回りの雰囲気や送信者自身のその時の感情など、通常、直接通話している時には知り得る情報が変換された音声では分からないため、受信者の誤解を招きやすいという問題がある。
【０００４】
そこで、本発明は、上述した問題点を解決するためになされたものであり、直接通話できる状態にない時においても、誤解を招くことなく通話可能な通信端末装置及び通信システムを提供することを目的とする。
【課題を解決するための手段】
【０００５】
前記目的を達成するため請求項１に係る通信端末装置は、各種キーと、各種情報を表示する表示手段と、音声を音声データとして入力する音声入力手段と、他の端末に前記音声データを送信する送信手段と、前記他の端末から送られる音声データを受信する受信手段と、前記受信手段によって受信した音声データを音声として出力する音声出力手段とを備えた通信端末装置において、テキストを前記表示手段に表示しながら設定するテキスト設定手段と、前記テキストに対して属性を設定する属性設定手段と、各種の属性に対応した声質データを記憶する声質データ記憶手段と、前記声質データ記憶手段に記憶され、前記属性設定手段で設定された属性に対応する声質データの示す声質の音声データに合成する音声合成手段とを備え、前記音声合成手段により合成した音声データを前記送信手段によって前記他の端末に送信することにより、前記他の端末に音声を送信することを特徴とすることを特徴とする。
【０００６】
また、請求項２に係る通信端末装置は、請求項１に記載の通信端末装置において、前記属性は、少なくとも性別、幼老、感情の何れかを含むことを特徴とする。
【０００７】
また、請求項３に係る通信端末装置は、請求項１または２に記載の通信端末装置において、前記テキスト設定手段は、複数のテキストの候補を記憶したテキスト候補記憶手段と、前記テキスト候補記憶手段に記憶した前記テキストの候補の中から所望のテキストを指定するテキスト指定手段とを備えていることを特徴とする。
【０００８】
また、請求項４に係る通信端末装置は、請求項３に記載の通信端末装置において、前記テキスト指定手段は、前記属性に対応したテキストの候補のみから指定するように構成したことを特徴とする。
【０００９】
また、請求項５に係る通信端末装置は、請求項１または２に記載の通信端末装置において、前記テキスト設定手段は、文字キーによってテキストを入力するように構成したことを特徴とする。
【００１０】
また、請求項６に係る通信端末装置は、請求項１乃至５の何れかに記載の通信端末装置において、前記通信端末装置が携帯電話であることを特徴とする。
【００１１】
また、請求項７に係る通信システムは、第１通信端末装置と、第２通信端末装置とを含む複数の端末装置がネットワークで接続されてなる通信システムにおいて、第１通信端末装置は、各種キーと、各種情報を表示する表示手段と、音声を音声データとして入力する音声入力手段と、前記第２通信端末装置に当該音声データを含む転送データを送信する送信手段と、テキストを前記表示手段に表示しながら設定するテキスト設定手段と、前記テキストに対して属性を設定する属性設定手段とを備え、前記第２通信端末装置は、前記第１通信端末装置から送られる前記転送データを受信する受信手段と、前記受信手段によって受信した転送データに含まれる音声データを音声として出力する音声出力手段とを備え、前記第１通信端末装置と前記第２通信端末装置との通信を行うにあたり、前記第１通信端末装置と前記第２通信端末装置とを前記ネットワークで結んだ経路上に、各種の属性に対応した声質データを記憶する声質データ記憶手段と、前記声質データ記憶手段に記憶され、前記属性設定手段で設定された属性に対応する声質データに基づき、前記テキストから音声データを合成する音声合成手段とを備え、前記第１通信端末装置において前記テキスト設定手段によって設定した前記テキストに対応し、前記音声合成手段により合成した音声データを前記第２通信端末装置の音声出力手段によって音声として出力することを特徴とする。
【００１２】
また、請求項８に係る通信システムは、請求項７に記載の通信システムにおいて、前記属性は、少なくとも性別、幼老、感情の何れかを含むことを特徴とする。
【００１３】
また、請求項９に係る通信システムは、請求項７または８に記載の通信システムにおいて、前記テキスト設定手段は、複数のテキストの候補を記憶したテキスト候補記憶手段と、前記テキスト候補記憶手段に記憶した前記テキストの候補の中から所望のテキストを指定するテキスト指定手段とを備えていることを特徴とする。
【００１４】
また、請求項１０に係る通信システムは、請求項９に記載の通信システムにおいて、前記テキスト指定手段は、前記属性に対応したテキストの候補のみから指定するように構成したことを特徴とする。
【００１５】
また、請求項１１に係る通信システムは、請求項７または８に記載の通信システムにおいて、前記テキスト設定手段は、文字キーによってテキストを入力するように構成したことを特徴とする。
【００１６】
また、請求項１２に係る通信システムは、請求項７乃至１１の何れかに記載の通信システムにおいて、前記第１通信端末装置及び前記第２通信端末装置の少なくとも一方が携帯電話であることを特徴とする。
【発明の効果】
【００１７】
請求項１に係る通信端末装置では、テキスト設定手段によりテキストを表示画面に表示しながら設定し、また、属性設定手段により前記テキストに属性を設定する。属性が設定されると、声質データ記憶手段に記憶されている前記属性に対応した声質データの示す声質の音声データを音声合成手段により合成する。その音声合成手段によって合成された音声データを他の端末に送信することで他の端末に音声を送る。
【００１８】
これにより、通信端末装置では話者が声を出すことなく、用件を属性に対応した声質の声で、他の端末に伝えることができる。
【００１９】
また、請求項２に係る通信端末装置では、属性は少なくとも性別、幼老、感情の何れかを含む。
【００２０】
これにより、受け手に微妙なニュアンスの違いを伝えることができ、円滑なコミュニケーションを図ることができる。
【００２１】
また、請求項３に係る通信端末装置では、テキスト候補記憶手段に記憶した複数のテキスト候補の中からテキスト指定手段によって指定することができる。
【００２２】
これにより、素早くテキストを設定でき、素早く応対できる。送り手も受け手も時間が掛かり過ぎることによるストレスを感じず、より円滑なコミュニケーションを図ることができる。
【００２３】
また、請求項４に係る通信端末装置では、テキスト指定手段は設定された属性に対応したテキストの候補のみから指定するようになっている。
【００２４】
これにより、同じ意味のテキストであっても送り手の属性に合わない表現のテキストを排除した中からテキストを選択できる。それにより、選択肢の数が減って素早くテキストを設定でき、より素早く対応でき、また、適当でない表現のテキストを間違って選択してしまい間違ったニュアンスで伝えてしまうという事故を防ぐことができ、より円滑なコミュニケーションを図ることができる。
【００２５】
また、請求項５に係る通信端末装置では、テキスト設定手段は、文字キーによりテキストを入力するように構成されている。
【００２６】
これにより、送り手が自由にテキストを作成することができ、伝えたい内容に設定できないことがなく、円滑なコミュニケーションを図ることができる。
【００２７】
また、請求項６に係る通信端末装置では、通信端末装置が携帯電話によって構成されている。
【００２８】
これにより、送り手は携帯電話を使用することで、音声によらない通話を実現できる。
【００２９】
また、請求項７に係る通信システムでは、第１通信端末装置で、テキスト設定手段によりテキストを表示画面に表示しながら設定し、また、属性設定手段により前記テキストに属性を設定する。第１通信端末装置と第２通信端末装置とをネットワークで結んだ経路上に声質データ記憶手段と音声合成手段とが存在し、属性設定手段で属性が設定されると、声質データ記憶手段に記憶されている前記属性に対応した声質データの示す声質の音声データを音声合成手段により合成する。その音声合成手段によって合成された音声データを第２通信端末装置で音声として出力する。
【００３０】
これにより、第１通信端末装置では話者が声を出すことなく、用件を属性に対応した声質の声で、第２端末装置から聞き取ることができる。
【００３１】
また、請求項８に係る通信システムでは、属性は少なくとも性別、幼老、感情の何れかを含む。
【００３２】
これにより、受け手に微妙なニュアンスの違いを伝えることができ、円滑なコミュニケーションを図ることができる。
【００３３】
また、請求項９に係る通信システムでは、テキスト候補記憶手段に記憶した複数のテキスト候補の中からテキスト指定手段によって指定することができる。
【００３４】
これにより、素早くテキストを設定でき、素早く応対できる。送り手も受け手も時間が掛かり過ぎることによるストレスを感じず、より円滑なコミュニケーションを図ることができる。
【００３５】
また、請求項１０に係る通信システムでは、テキスト指定手段は設定された属性に対応したテキストの候補のみから指定するようになっている。
【００３６】
これにより、同じ意味のテキストであっても送り手の属性に合わない表現のテキストを排除した中からテキストを選択できる。それにより、選択肢の数が減って素早くテキストを設定でき、より素早く対応でき、また、適当でない表現のテキストを間違って選択してしまい間違ったニュアンスで伝えてしまうという事故を防ぐことができ、より円滑なコミュニケーションを図ることができる。
【００３７】
また、請求項１１に係る通信システムでは、テキスト設定手段は、文字キーによりテキストを入力するように構成されている。これにより、送り手が自由にテキストを作成することができ、円滑なコミュニケーションを図ることができる。
【００３８】
また、請求項１２に係る通信システムでは、第１通信端末装置及び第２通信端末装置の少なくとも一方が携帯電話によって構成されている。これにより、携帯電話における音声によらない通話を実現できる。
【発明を実施するための最良の形態】
【００３９】
以下、本発明に係る通信端末装置及び通信システムについて、具体化した実施形態に基づいて図面を参照しつつ詳細に説明する。
先ず、第１実施形態に係る通信端末装置の概略構成について図１及び図２に基づき説明する。
【００４０】
図１は、第１実施形態に係る通信端末装置を用いた通信システム１の概略構成図である。
【００４１】
図１に示すように、本実施形態に係る通信端末装置は、２台のデジタル携帯電話２、３が公衆回線４で接続された通信システム１における何れか１台のデジタル携帯電話である。以下、説明の都合上、デジタル携帯電話２を本実施形態に係る通信端末装置とする。図１に示すように、デジタル携帯電話２は、電話番号を入力したり、各種操作をしたりするために、上カーソルキー５、下カーソルキー６、左カーソルキー７、右カーソルキー８、決定キー９、英字、数字、仮名、記号等各種の文字が入力可能な複数の文字キー１０等を備えたキーボード１１、各種設定画面を表示するＬＣＤ１２等を備える。
【００４２】
図２は、本実施形態に係る通信端末装置の機能ブロック図である。
【００４３】
図２に示すように、デジタル携帯電話２は、キーボード１１（図１参照）を備えたキー入力部２０、話者が話した音声をアナログの音声信号に変換する不図示のマイクとアナログ信号の音声信号をデジタル信号の音声データに変換する不図示のＡ／Ｄ変換器とを備えた音声入力部２１と、公衆回線４を通して送られてくるデジタル音声データや文字データ等の各種データを受信する受信部２２を備え、それらキー入力部２０、音声入力部２１、受信部２２等が入力部２３を構成している。
【００４４】
さらに、デジタル携帯端末２は、ＬＣＤ１２と、ＬＣＤ１２への表示を制御する不図示のＬＣＤＣ等からなる表示部２４と、デジタル信号の音声データをアナログ信号の音声信号に変換する不図示のＤ／Ａ変換器と音声信号を音声に変換する不図示のスピーカとを備えた音声出力部２５と、音声出力部２５から出力される前のデジタル音声データを一時格納し、リングバッファとなっている音声出力用音声データバッファ２６と、公衆回線４を通してデジタル音声データや文字データ等の各種データを送信する送信部２７、送信部２７から出力される前のデジタル音声データを一時格納し、リングバッファとなっている送信用音声データバッファ２８を備え、それら表示部２４、音声出力部２５、音声出力用音声データバッファ２６、送信部２７、送信用音声データバッファ２８等が出力部２９を構成している。また、デジタル携帯電話２は、他者に伝えるべき内容の文字列であるダイヤル文字列が複数記憶されているダイヤル文字列記憶部３０（詳細は図３に後述）を備えている。
【００４５】
尚、前述のスピーカは、デジタル携帯電話２本体に内蔵のスピーカでも構わないものの、イヤホンまたはヘッドホンの形でデジタル携帯電話２本体とは別体に備わっていることが本発明の目的からは望ましい。それは、デジタル携帯電話２の使用者が、相手の声を耳で聞きながら、目ではＬＣＤ１２に表示された設定画面を見ながらキー操作をすることが必要になるからである。携帯電話によっては、携帯電話本体に直接耳を当てなくとも音声を大きくして聞き取れるようにする機能が備わっているものがある。かかる場合、その機能を使用すれば取り敢えずは問題ない。しかし、本実施形態に係るデジタル携帯電話２は、会議中あるいは電車の車内等声を出すことが憚られる状況での使用を想定している。そのような状況では、デジタル携帯電話２の使用者は声を出すことの他に、デジタル携帯電話２で受信した音声データを音声に再生する際も、周りに音を漏らさないことが必要となる。以上のような理由によりイヤホンあるいはヘッドホンの形でスピーカが備わっていることが望ましいのである。
【００４６】
また、音声出力用音声データバッファ２６には、受信部２２で受信した音声データが一時蓄積され、送信用音声データバッファ２８には不図示のマイクから入力された音声からなる音声データが一時蓄積される。
【００４７】
また、デジタル携帯端末２は、文字列を読み上げるにあたり、文字列の読みである音韻情報を文字列から生成する音韻生成部３１、読み上げる時のアクセントである韻律情報を文字列から生成する韻律生成部３２、老若男女や感情といった話者の属性毎に分類された声質データを複数記憶した声質データ格納部３３（詳細は図４に後述）、所定の文字列から音韻生成部３１によって生成された音韻情報と同じ文字列から韻律生成部３２で生成された韻律情報と声質データ格納部３３に記憶されている話者の属性に対応した声質データとから、話者の属性に対応した声質で所定の文字列を読み上げた時のデジタル音声データを音声合成する音声合成部３４、及び、それらの動作を制御し、不図示のＣＰＵ、ＲＯＭ、ＲＡＭ、タイマ等を備えた制御部１９を備える。
【００４８】
尚、音声合成部３４では、前述した「所定の文字列から音韻生成部３１によって生成された音韻情報と同じ文字列から韻律生成部３２で生成された韻律情報と声質データ格納部３３に記憶されている話者の属性に対応した声質データとから、話者の属性に対応した声質で所定の文字列を読み上げた時のデジタル音声データを音声合成する」読み上げ処理の他に、「その読み上げ処理によって合成したデジタル音声データを、送信用音声データバッファ２８に一時的に蓄積されているデジタル音声データに合成する」単純な合成処理とを行う。
【００４９】
次に、音声合成部３４で行われる音声合成の手法に関し、文字列を読み上げる音声合成に関しては、周知の技術である。特に、読み上げた音声をより人間の音声に近づけるため、感情を込めた言い方の音声を合成する研究は現在進められている。例えば、ＧＭＭに基づく声質変換を用いた手法や感情別の音声コーパスを用いて波形接続方式によって音声を合成することで感情を制御する手法、ＨＭＭよりスペクトル列や基本周波数パターンなどの音声パラメータ列を生成し、音声波形を合成するＨＭＭ音声合成システムにおいて、学習データに感情音声を用いることで感情音声の合成を行う方法が知られている（日本音響学会講演論文集  ２００３年３月号  Ｐ．２６９〜Ｐ．２７０「ＨＭＭ音声合成における感情表現のモデル化に関する検討」参照）。そのため、本実施の形態では、具体的な音声合成の仕方についての説明は省略する。同じく、音声合成部３４で行われる単純な合成処理についても単に２つの音源からの音を足し合わせるだけの周知慣用の技術なので詳しい説明は省略する。
【００５０】
もう一方のデジタル携帯端末３の構成は、デジタル携帯端末２と同様なので説明は省略する。
【００５１】
次に、図３を参照してダイヤル文字列記憶部１４に記憶されているダイヤル文字列テーブル４０について説明する。図３は、ダイヤル文字列テーブル４０の概要を示す模式図である。
【００５２】
ダイヤル文字列テーブル４０は、所定の意味内容を持つ文字列のまとまりを番号付けして管理する番号４１、男性か女性か子供かを分類分けする属性４２、各番号、各属性に個別に対応した文字列を示す対応文字列４３の各項目を備えたレコードの集合体である。例えば、番号が１、属性が男性、対応文字列が「わかった」というレコードが存在する。同じ番号１には、他に属性が女性、対応文字列が「わかったわ」というレコードと、属性が子供、対応文字列が「わかったもん」というレコードが存在する。同じ番号に属する対応文字列は、意味は同じであり、このレコードの例では、「分かった（理解した）」という意味である。番号が２のレコードも、属性が男性、女性、子供に分かれ、対応文字列はそれぞれ、「いやだ」、「いやよ」、「やだ」である。それぞれの意味は、「嫌だ（嫌い、拒否する）」である。番号が３のレコードも同様に属性が男性、女性、子供に分かれている。対応文字列はそれぞれ、「いいぞ」、「いいわ」、「いいよ」となっている。意味は、「よい（許可する、了承する）」である。
【００５３】
尚、対応文字列は必ずしも、各レコードで異なっている必要はなく、例えば、男性と女性で同じ文字列であることもある。また、対応文字列は、必ずしも全て平仮名である必要はなく、漢字仮名交じり文はもちろん、数字や外国語等でもよい。
【００５４】
このダイヤル文字列テーブル４０の中から、話者が後述の図６のダイヤル文字列設定画面５３により、どれか１つダイヤル文字列を選択し、それが前述の音声合成部３４で読み上げられて音声データになる。
【００５５】
次に、図４を参照して声質データ格納部３３に記憶されている声質データテーブル４４について説明する。図４は、声質データテーブル４４の模式図である。
【００５６】
声質データテーブル４４は、話者の属性を、男性、女性、子供に分け、それをさらに感情を通常、怒り、喜び、悲しみ、に分けて示す属性４５と、各属性に対応した声質データを示す声質データ４６という項目からなるレコードの集合である。例えば、属性が「男性」で「怒り」であれば、声質データには、「男性で怒っている状態の声の声質データ」が格納されている。
【００５７】
ここで声質データを簡単に言えば、文章を読み上げるときの全体的な声の高さ、声の高さの時間的な変化（抑揚）、各文字の発声のタイミング、全体的な声の大きさ、声の大きさの時間的な変化等からなり、音韻生成部３１（図２参照）で文字列から生成される音韻情報、韻律生成部３２（図２参照）で生成される韻律情報（アクセント）以外の情報で、感情音声合成に必要な情報の集合である。韻律生成部３２（図２参照）で生成される韻律情報（アクセント）は、文章中の強く（または高く）発音するところ／弱く（または小さく）発音するところ、または、各句の中の強く（または高く）発音するところ／弱く（または小さく）発音するところを指し、段階的な値（多くは２段階）を取るが、声質データではより細かく連続的な値を取る。
【００５８】
ダイヤル文字列テーブル４０の中から、話者がダイヤル文字列を選択する。一方、後述の属性設定画面５０で、話者の属性が設定される。その属性設定画面５０で設定された属性に対応した声質データを声質データテーブル４４の中から読み出し、前記で選択したダイヤル文字列が、この声質データを用いて前述の音声合成部３４で読み上げられて音声データになる。
【００５９】
ここで先ず、デジタル携帯電話による通話の概略を説明する。デジタル携帯電話は、通常の音声通話時は、入力した音声をマイクでアナログの音声信号に変換後、デジタルの音声データに変換し、送信用音声データバッファ２８に一時格納された音声データを所定サイズ、所定フォーマットのパケットという転送データに変換して短い周期で定期的に送信している。また、通常の音声通話時には、音声データを送信すると共に、送られてきた転送データであるパケットを受信し、それをデジタルの音声データに変換し、音声出力用音声データバッファ２６に一時格納されたデジタル音声データは、アナログの音声信号に変換後、スピーカで音声として出力している。尚、この通常の音声通話時における（パケット化された）音声データ送信処理は、所定の短い周期のタイマ割込処理により行われる。また、通常の音声通話時における（パケット化された）音声データ受信処理は、受信割込処理により行われる。
【００６０】
一方、前述のダイヤル文字列テーブル４０から選択されたダイヤル文字列を音声合成部３４で読み上げて生成された音声データは、送信前に送信用音声データバッファ２８に一時格納されている音声データと音声合成部３４で合成される（送信用音声データバッファ２８の音声データが更新される）。従って、送信部から送信される時には、マイクから入力された音声とダイヤル文字列を読み上げてなる音声とが合わさった音声に相当する音声データが送信されることになる。
【００６１】
次に、図５を参照して表示部２４のＬＣＤ１２に表示される属性設定画面５０について説明する。図５は、属性設定画面５０の模式図である。
【００６２】
この属性設定画面５０は、デジタル携帯電話２で通話中にキーボード１１の不図示の無発声通話キーを押下すると表示される。この画面左側には、話者の性別等を設定する性別等設定領域５１があり、画面右側には、話者の感情を設定する感情設定領域５２がある。性別等設定領域５１には、男性、女性、子供の別を選択するように男性、女性、子供の表記が縦に並んでおり、それぞれの選択肢の前に選択する項目をチェックするチェック欄がある。これはどれか１つを選択するようにラジオボタンになっており、初期状態には、男性がチェックされている。また、感情設定領域５２には、通常、怒り、喜び、悲しみの別を選択するように通常、怒り、喜び、悲しみの表記が縦に並んでおり、それぞれの選択肢の前に選択する項目をチェックするチェック欄がある。これもどれか１つを選択するようにラジオボタンになっており、初期状態には、通常がチェックされている。
【００６３】
設定には、キーボード１１の左カーソルキー７及び右カーソルキー８を用いて、現在設定する属性が、性別等なのか感情なのかに応じて、性別等設定領域５１または感情設定領域５２から選択する。領域が選択されると、その領域は太線で囲われて表示される。図５の例では、現在は性別等設定領域５１が選択中にあることを示している。各設定領域内では、選択肢の変更はキーボード１１の上カーソルキー５及び下カーソルキー６を用いて行う。属性の設定が終わったらキーボード５の決定キー９を押下することで、図６に示すダイヤル文字列設定画面５３に移行する。尚、属性設定画面５０で設定した値はバックアップされ、次回属性設定画面５０が表示される時には、前回選択された選択肢がチェックされた状態で表示される。そのため、１回の通話中に何回も設定する必要がある時は、いちいち選択せずとも決定キー９を押下するだけで属性の設定が可能である。
【００６４】
次に属性設定画面５０で決定キー９を押下した時に表示されるダイヤル文字列設定画面５３について説明する。図６は、ダイヤル文字列設定画面５３の模式図である。
この画面には、通話中の相手に応答する内容を表す文章であるダイヤル文字列が複数個、横書きで並んで表示されている。この実施形態では、１０種類のテキストの中から選択できるが、ＬＣＤ１２の大きさから実際に一時に表示される数はそれよりも少ない。この実施形態では、「１．わかった」、「２．いやだ」、「３．いいぞ」、・・・という短い言葉が並んでいる。これらは、前述の属性設定画面５０（図５参照）で、属性として「男性」が選択されたことにより、ダイヤル文字列テーブル４０（図３参照）から属性４２が男性である対応文字列４３だけを抽出した文字列である。選択肢である各文字列の前の数字は、ダイヤル文字列テーブルの番号４１の項に記憶されている番号である。尚、この番号は、１〜９と０の１０種類がある。
【００６５】
現在は、「１．わかった」が太線で囲われて選択状態にある。この選択は、上カーソルキー５、下カーソルキー６を押下することで上下させることができ、隠れている候補もスクロールさせることができる。選択状態にある文字列で決定するには、決定キー９を押下するか、選択肢である各文字列の前の数に対応した不図示の数字キーを押下する。
【００６６】
次に、図７〜図９を参照してデジタル携帯電話２の動作について説明する。図７は、音声送信割込が発生した時に実行される音声送信割込処理のフローチャートである。図８は、受信割込が発生した時に実行される受信割込処理のフローチャートである。図９は、デジタル携帯電話２の通話中の処理を表すフローチャートである。尚、これらの処理は、制御部３５にて実行される。
【００６７】
音声送信割込は、通話中に所定の短い時間で周期的に発生するように構成されている。不図示のマイクから入力された音声はデジタル音声データの形に変換されて、リングバッファである送信用音声データバッファ２８に次々と追加されるように格納されていく。一方で、送信用音声データバッファ２８に格納されているデジタル音声データは、古いデータから順に読み出されては、送信部２７で送信される。その送信処理を行うのが図７に示す音声送信割込処理である。
【００６８】
音声送信割込処理において、先ず、Ｓ１では、制御部３５は、送信用音声データバッファ２８から所定サイズの音声データを読み出し、送信部２７に音声用の所定のフォーマットからなる転送データを作成させる。その後、Ｓ２に移行する。Ｓ２では、制御部３５は、送信部２７にその転送データを送信させる。その後、音声送信割込処理を終了する。
【００６９】
次に、図８の受信割込処理を説明する。
受信割込は、通話中にデータ受信すると発生するように構成されている。
受信部で受信された音声用の転送データは音声データに変換され、リングバッファである音声出力用音声データバッファ２６に次々と追加されるように格納されていく。一方で、音声出力用音声データバッファ２６に格納されている音声データは、古いデータから順に読み出されては、音声出力部２５で音声として出力される。その受信処理を行うのが図８に示す受信割込処理である。尚、通話中に音声出力用音声データバッファ２６から音声データを読み出しては音声を出力する処理は、音声出力部２５が常時行うように構成されている。
【００７０】
受信割込処理において、先ず、Ｓ３では、制御部３５は、受信した音声用の転送データを音声データに変換するよう受信部２２に指示する。その後、Ｓ４に移行する。Ｓ４では、制御部３５は、その音声データを音声出力用音声データバッファ２６に格納する。その後、受信割込処理を終了する。
【００７１】
次に図９を用いて通話中の処理について説明する。この通話中処理へは、デジタル携帯電話２からデジタル携帯電話３を呼び出して、デジタル携帯電話３が呼び出しに応じて接続した場合でも、逆に、デジタル携帯電話３からデジタル携帯電話２を呼び出して、デジタル携帯電話２が呼び出しに応じて接続した場合でも、どちらでもよい。
【００７２】
通話中処理において、先ず、Ｓ１１では、制御部３５は、キーボード１１からのキー入力を受け付ける。その後、Ｓ１２に移行する。Ｓ１２では、制御部３５は、不図示の無発声通話キーが押下されたか否か判断する。無発声通話キーが押下された場合は（Ｓ１２：ＹＥＳ）、Ｓ１３に移行し、押下されなかった場合は（Ｓ１２：ＮＯ）、Ｓ１９に移行する。Ｓ１３では、制御部３５は、ＬＣＤ１２に属性設定画面５０（図５参照）を表示し、性別等と感情に関する属性の設定を受け付ける。その後、Ｓ１４に移行する。Ｓ１４では、制御部３５は、ＬＣＤ１２にダイヤル文字列設定画面５３（図６参照）を表示し、ダイヤル文字列の設定を受け付ける。その後、Ｓ１５に移行する。Ｓ１５では、制御部３５は、ダイヤル文字列設定画面５３（図６参照）で設定されたダイヤル文字列から音韻情報を音韻生成部３１で生成する。その後、Ｓ１６に移行する。Ｓ１６では、制御部３５は、ダイヤル文字列設定画面５３（図６参照）で設定されたダイヤル文字列から韻律情報を韻律生成部３２で生成する。
【００７３】
その後、Ｓ１７に移行する。Ｓ１７では、制御部３５は、属性設定画面５０で設定した属性に応じた声質データを声質データ格納部３３に記憶されている声質データテーブル４４から取得し、この声質データと先に生成した音韻情報、韻律情報とから音声合成部３４に、声質データの示す声質の音声データを合成させる（読み上げ処理）。その後、Ｓ１８に移行する。Ｓ１８では、制御部３５は、音声合成部３４に、送信用音声データバッファ２８に格納されている音声データと、読み上げ処理によって合成した音声データとを合成させて（単純な合成処理）、送信用音声データバッファ２８に格納されている音声データを更新する。その後、Ｓ１１に戻る。
【００７４】
Ｓ１２において不図示の無発声通話キーが押下されなかった場合（Ｓ１２：ＮＯ）に移行するＳ１９では、制御部３５は、不図示の通話終了キーが押下されたか否かを判断する。通話終了キーが押下された時は（Ｓ１９：ＹＥＳ）通話を止めて、デジタル携帯電話３との接続を解除し、通話中処理を終了する。通話終了キーが押下されなかった時は（Ｓ１９：ＮＯ）Ｓ２０に移行する。Ｓ２０では、制御部３５は、その他のキーの押下があったか否か判断し、押下があった場合はそのキーに対応した処理を行うといった「その他の処理」を行う。その後、Ｓ１１に戻る。
【００７５】
第１実施形態に係るデジタル携帯電話２では、ダイヤル文字列設定画面５３（図６参照）にて表示される複数のダイヤル文字列を見ながら１つのダイヤル文字列を設定し、また、属性設定画面５０（図６参照）にてダイヤル文字列に属性を設定する。属性が設定されると、声質データテーブル４４（図４参照）に記憶されている前記属性に対応した声質データの示す声質の音声データを音声合成部３４により合成する。その音声合成部３４によって合成された音声データを送信することでデジタル携帯電話３に音声を送る。これにより、デジタル携帯電話２では話者が声を出すことなく、ダイヤル文字列設定画面５３で設定したダイヤル文字列の表す用件を、属性設定画面５０で設定した属性に対応した声質の声で、デジタル携帯電話３の使用者に伝えることができる。
【００７６】
また、デジタル携帯電話２では、属性は男性、女性、（幼い）子供の別、及び、通常、怒り、喜び、悲しみの感情の別を設定できる。これにより、男性、女性、（幼い）子供の別、及び、通常、怒り、喜び、悲しみの感情の別を反映した声をデジタル携帯電話３から発声させることによって用件を伝えることができるので、受け手に微妙なニュアンスの違いを伝えることができ、円滑なコミュニケーションを図ることができる。
【００７７】
また、デジタル携帯電話２では、ダイヤル文字列記憶部３０に記憶したダイヤル文字列テーブル４０に属している複数のダイヤル文字列の中からダイヤル文字列設定画面５３によって指定することができる。これにより、予め準備されている複数のダイヤル文字列の中から所望のダイヤル文字列を選ぶだけなので、素早くダイヤル文字列を設定でき、素早く応対できる。送り手も受け手も時間が掛かり過ぎることによるストレスを感じず、より円滑なコミュニケーションを図ることができる。
【００７８】
また、デジタル携帯電話２では、ダイヤル文字列設定画面５３には、属性設定画面５０で設定した男性、女性、（幼い）子供の別に対応したダイヤル文字列のみから所望のダイヤル文字列を指定するようになっている。これにより、同じ意味のダイヤル文字列であっても送り手の属性に合わない表現のダイヤル文字列を排除した中から所望のダイヤル文字列を選択できる。それにより、ダイヤル文字列テーブル４０に含まれている全ての文字列をダイヤル文字列として選ばせる場合に比べて、選択肢の数が減って素早く所望のダイヤル文字列を設定でき、より素早く対応できる。また、適当でない表現のダイヤル文字列を間違って選択してしまい間違ったニュアンスで伝えてしまうという事故を防ぐことができ、より円滑なコミュニケーションを図ることができる。
【００７９】
例えば、大人の男性が過って子供に対応したダイヤル文字列を選択してしまった場合、ふざけている、または、からかわれていると受け取った相手は怒り出してしまうかも知れない。デジタル携帯電話２では、属性として男性を選んだ場合、予め女性や子供に対応したダイヤル文字列を除いた男性に対応したダイヤル文字列の中から選ぶことで前述のような事故を無くすことができる。
【００８０】
また、送り手はデジタル携帯電話２を使用することで、音声によらない通話を実現できる。デジタル携帯電話２は、いつも身に付けていることが多いので、誰かと連絡を取る時に非常に便利である反面、場所や状況を選ばず掛かってくることがあるので声を出すことができない場所や状況で特に問題であったが、音声によらない通話を実現することで、より一層使い勝手がよくなる。
【００８１】
第１実施形態の変形例として、以下の通信端末装置も考えることができる。第１実施形態では、図１に示すように、通信端末装置としてデジタル携帯電話２とデジタル携帯電話３とを用い、それらをデジタルの公衆回線４で接続していたが、通信端末装置としてアナログ携帯電話２とアナログ携帯電話３とを用い、それらをアナログの公衆回線４で接続するようにして通信システム１を構成するアナログ携帯電話を通信端末装置とする場合である。アナログの公衆回線４では、アナログの音声信号が送受信されることになる。アナログ携帯電話の内部では、デジタル携帯電話と同様、音声データの主要な形式はデジタルデータなので、送信部２７には、デジタルデータである音声データをアナログデータである音声信号に変換するためのＤ／Ａ変換器が追加で備わっている。同様に、受信部２２には、アナログデータである音声信号をデジタルデータである音声データに変換するためのＡ／Ｄ変換器が追加で備わっている。
【００８２】
さらに、第１実施形態から派生した別の実施例としては、通信システム１として、デジタル携帯電話２とアナログ携帯電話３とを備え、デジタル携帯電話２はデジタル回線としての公衆回線４へ繋がり、アナログ携帯電話３はアナログ回線としての公衆回線４へ繋がり、公衆回線４の中で不図示の中継装置によってアナログ信号とデジタル信号の相互の切替をおこなう通信システムも考えられる。当然、アナログ携帯電話２とデジタル携帯電話３とを公衆回線４で繋いだ通信システム１も考えられる。
【００８３】
次に、第２実施形態に係る通信システムについて説明する。第２実施形態に係る通信システムは、前述の第１実施形態に係る通信端末装置を説明するために用いた通信システム１と構成が類似しているので、それとの違いについて重点的に説明する。
【００８４】
第１実施形態では、デジタル携帯電話２で設定したダイヤル文字列を読み上げて音声データに変換する処理をデジタル携帯電話２自体で行っていたが、第２実施形態では、デジタル携帯電話２で設定したダイヤル文字列を、デジタル携帯電話３の側で読み上げて音声データに変換する。また、第１実施形態では、公衆回線４（図１参照）を流れていたデータは、音声データを音声用転送データに変換したデータのみであったが、第２実施形態のネットワーク４（公衆回線４を読み替える）ではその他に、ダイヤル文字列、属性の設定値等からなるデータを無発声通話用転送データに変換したデータも流れる。
【００８５】
第２実施形態でも、デジタル携帯電話２とデジタル携帯電話３の構成は同じなのでデジタル携帯電話２の構成のみ説明し、デジタル携帯電話３の説明は省略する。
【００８６】
先ず、受信部２２で受信するデータが、前述のように第１実施形態では音声用転送データのみであったのが、第２実施形態では音声用転送データと無発声通話用転送データであり、両データに対応していることである。
【００８７】
また、音声出力用音声データバッファ２６は、第１実施形態では受信部２２から受信した音声データが一時格納されるのみであった。一方、第２実施形態でも通常は受信部２２から受信した音声データが一時格納されるのみであるが、無発声通話用転送データを受信した時は、音声出力用音声データバッファ２６に格納済みの音声データと、ダイヤル文字列を読み上げて変換された音声データとを合成した結果の音声データが格納されることになる。
【００８８】
逆に、送信用音声データバッファ２８は、第１実施形態では通常は音声入力部２１から入力された音声を変換した音声データが一時格納されるのみであるが、第２実施形態では、無発声通話機能を用いる時は、送信用音声データバッファ２８に格納済みの音声データと、ダイヤル文字列を読み上げて変換された音声データとを合成した結果の音声データが格納されることになる。
【００８９】
第１実施形態では、送信部２７は音声用転送データのみであったが、第２実施形態では音声用転送データと無発声通話用転送データである。
【００９０】
音声合成部３４は、第１実施形態では、デジタル携帯電話２で設定されたダイヤル文字列を読み上げて音声データに変換し、それを送信用音声データバッファ２８に格納済みの音声データと合成していたが、第２実施形態では、受信部２２で受信した無発声通話用転送データから取得したダイヤル文字列を読み上げて音声データに変換し、それを音声データバッファ２８に格納済みの音声データと合成する。
【００９１】
次に、図１０及び図１１を参照して第２実施形態に係るデジタル携帯電話２の動作を説明する。図１０は、受信割込が発生したときに実行される受信割込処理のフローチャートである。図１１は、デジタル携帯電話２の通話中の処理を表すフローチャートである。尚、第１実施形態において図７を用いて説明した音声送信割込処理は第２実施形態においても共通である。尚、これらの処理は、第１実施形態と同様に、制御部３５にて実行される。
【００９２】
先ず、図１０の受信割込処理を説明する。初めに、Ｓ３１では、制御部３５は、受信したデータが音声通話用転送データか否か判断する。音声通話用転送データと無発声通話用転送データには、パケットとして送られて来るデータのフォーマットに違いがあるので、データ中の所定の識別子を読み、その値で音声通話用転送データか無発声通話用転送データかを判断する。制御部３５は、受信したデータが音声通話用転送データである時は（Ｓ３１：ＹＥＳ）Ｓ３２に移行し、音声通話用転送データでない時は（Ｓ３１：ＮＯ）無発声通話用転送データであると判断しＳ３４に移行する。Ｓ３２では、制御部３５は、受信した音声用転送データを音声データに変換するよう受信部２２に指示する。その後、Ｓ３３に移行する。Ｓ３３では、制御部３５は、その音声データを音声出力用音声データバッファ２６に格納する。その後、受信割込処理を終了する。
【００９３】
次に、Ｓ３１において、音声通話用転送データでない（Ｓ３１：ＮＯ）と判断されて移行したＳ３４について説明するが、その前に先ず、無音声通話用転送データについて説明する。無音声通話用転送データには、属性設定画面５０（図５参照）で設定した属性である性別等の設定値、感情の設定値、及び、ダイヤル文字列設定画面５３（図６参照）で設定したダイヤル文字列の設定値が含まれている。特に、この第２実施形態においては、互いにデータのやりとりを行うデジタル携帯電話２とデジタル携帯電話３との構造が同じで、ダイヤル文字列記憶部３０に記憶されているダイヤル文字列テーブル４０も共通のため番号が分かりさえすればダイヤル文字列を知ることができる。そのため、番号を通知するのみでダイヤル文字列自体を送ることはしない。尚、デジタル携帯電話２とデジタル携帯電話３とで記憶するダイヤル文字列テーブル４０が異なる場合、ダイヤル文字列自体を送るようにしてもよい。
【００９４】
同様に、属性の設定項目及び設定値も、この第２実施形態においては、項目は性別等と感情であり、それぞれの項目の取り得る値と意味とが、デジタル携帯電話２とデジタル携帯電話３で互いに等しい。そのため、その設定値のみを通知している。しかし、デジタル携帯電話２とデジタル携帯電話３とで設定できる属性の設定項目とその取り得る値と意味とが違っていてもよい。その場合は、設定された属性の値に基づいて声質データテーブル４４を検索して対応する声質データを取得し、その声質データ自体を通知することになる。
【００９５】
再び、図１０の受信割込処理のフローチャートの説明に戻る。Ｓ３４では、制御部３５は、受信した無音声通話用転送データからダイヤル文字列の設定値を読み出す。制御部３５は、その設定値で、ダイヤル文字列テーブル４０を検索し、対応するダイヤル文字列を取得する。そのダイヤル文字列から音韻生成部３１で、音韻情報を生成する。その後、Ｓ３５に移行する。Ｓ３５では、制御部３５は、同じダイヤル文字列から韻律生成部３２から韻律情報を生成する。その後、Ｓ３６に移行する。Ｓ３６では、制御部３５は、受信した無音声通話用転送データから属性である性別等及び感情の設定値を読み出す。その設定値で、声質データテーブル４４を検索し、対応する声質データを取得する。そして、音韻情報、韻律情報、声質データから音声合成部３４で音声データを合成する。その後、Ｓ３７に移行する。Ｓ３７では、制御部３５は、この音声データと音声出力用音声データバッファ２６に格納されている音声データとを合成し、音声出力用音声データバッファ２６の音声データを更新する。その後、受信割込処理を終了する。尚、第１実施形態の場合と同様に、音声出力用音声データバッファ２６から音声データを読み出しては音声を出力する処理は、通話中、音声出力部２５が常時行うように構成してある。
【００９６】
次に、図１１の通話中処理の説明を行う。先ず、Ｓ４１で、制御部３５は、キーボード１１からのキー入力を受け付ける。その後、Ｓ４２に移行する。Ｓ４２では、制御部３５は、不図示の無発声通話キーが押下されたか否かを判断する。無発声通話キーが押下された場合は（Ｓ４２：ＹＥＳ）Ｓ４３に移行し、無発声通話キーが押下されなかった場合は（Ｓ４２：ＮＯ）Ｓ４７に移行する。Ｓ４３では、制御部３５は、ＬＣＤ１２に属性設定画面５０（図５参照）を表示し、性別等と感情に関する属性の設定を受け付ける。その後、Ｓ４４に移行する。Ｓ４４では、制御部３５は、ＬＣＤ１２にダイヤル文字列設定画面５３（図６参照）を表示し、ダイヤル文字列の設定を受け付ける。その後、Ｓ４５に移行する。Ｓ４５では、制御部３５は、属性設定画面５０（図５参照）で設定された属性の値と、ダイヤル文字列設定画面５３（図６参照）で設定されたダイヤル文字列とを含み、無発声通話用転送データとしての所定のフォーマットで転送データを作成する。その後、Ｓ４６に移行する。Ｓ４６では、制御部３５は、作成した無発声通話用転送データを送信部２７によって送信する。その後、再びＳ４１に移行する。
【００９７】
また、Ｓ４２において無発声通話キーが押下されなかった場合（Ｓ４２：ＮＯ）に移行するＳ４７では、制御部３５は、不図示の通話終了キーが押下されたか否かを判断する。通話終了キーが押下された時は（Ｓ４７：ＹＥＳ）通話を止めて、デジタル携帯電話３との接続を解除し、通話中処理を終了する。通話終了キーが押下されなかった時は（Ｓ４７：ＮＯ）Ｓ４８に移行する。Ｓ４８では、制御部３５は、その他のキーの押下があったか否か判断し、押下があった場合はそのキーに対応した処理を行うといった「その他の処理」を行う。その後、Ｓ４１に戻る。
【００９８】
第２実施形態に係るデジタル携帯電話２では、ダイヤル文字列設定画面５３（図６参照）にて表示される複数のダイヤル文字列を見ながら１つのダイヤル文字列を設定し、また、属性設定画面５０（図６参照）にてダイヤル文字列に属性を設定する。設定されたダイヤル文字列と属性は、デジタル携帯電話２からデジタル携帯電話３へ公衆回線４を介して送られる。デジタル携帯電話３では、声質データテーブル４４（図４参照）に記憶されている前記属性に対応した声質データの示す声質の音声データを音声合成部３４により合成する。その音声合成部３４によって合成された音声データを音声として出力する。これにより、デジタル携帯電話２では話者が声を出すことなく、ダイヤル文字列設定画面５３で設定したダイヤル文字列の表す用件を、デジタル携帯電話３では属性設定画面５０で設定した属性に対応した声質の声として聞き取ることができる。
【００９９】
また、デジタル携帯電話２では、属性は男性、女性、（幼い）子供の別、及び、通常、怒り、喜び、悲しみの感情の別を設定できる。これにより、男性、女性、（幼い）子供の別、及び、通常、怒り、喜び、悲しみの感情の別を反映した声をデジタル携帯電話３から発声させることによって用件を伝えることができるので、受け手に微妙なニュアンスの違いを伝えることができ、円滑なコミュニケーションを図ることができる。
【０１００】
また、デジタル携帯電話２では、ダイヤル文字列記憶部３０に記憶したダイヤル文字列テーブル４０に属している複数のダイヤル文字列の中からダイヤル文字列設定画面５３によって指定することができる。これにより、予め準備されている複数のダイヤル文字列の中から所望のダイヤル文字列を選ぶだけなので、素早くダイヤル文字列を設定でき、素早く応対できる。送り手も受け手も時間が掛かり過ぎることによるストレスを感じず、より円滑なコミュニケーションを図ることができる。
【０１０１】
また、デジタル携帯電話２では、ダイヤル文字列設定画面５３には、属性設定画面５０で設定した男性、女性、（幼い）子供の別に対応したダイヤル文字列のみから所望のダイヤル文字列を指定するようになっている。これにより、同じ意味のダイヤル文字列であっても送り手の属性に合わない表現のダイヤル文字列を排除した中から所望のダイヤル文字列を選択できる。それにより、ダイヤル文字列テーブル４０に含まれている全ての文字列をダイヤル文字列として選ばせる場合に比べて、選択肢の数が減って素早く所望のダイヤル文字列を設定でき、より素早く対応できる。また、適当でない表現のダイヤル文字列を間違って選択してしまい間違ったニュアンスで伝えてしまうという事故を防ぐことができ、より円滑なコミュニケーションを図ることができる。
【０１０２】
例えば、大人の男性が過って子供に対応したダイヤル文字列を選択してしまった場合、ふざけている、または、からかわれていると受け取った相手は怒り出してしまうかも知れない。デジタル携帯電話２では、属性として男性を選んだ場合、予め女性や子供に対応したダイヤル文字列を除いた男性に対応したダイヤル文字列の中から選ぶことで前述のような事故を無くすことができる。
【０１０３】
また、送り手はデジタル携帯電話２を使用することで、音声によらない通話を実現できる。デジタル携帯電話２は、いつも身に付けていることが多いので、誰かと連絡を取る時に非常に便利である反面、場所や状況を選ばず掛かってくることがあるので声を出すことができない場所や状況で特に問題であったが、音声によらない通話を実現することで、より一層使い勝手がよくなる。
【０１０４】
この例では、同じ構造を有すデジタル携帯電話２とデジタル携帯電話３とが通信システムでは用いられていた。そこでは、デジタル携帯電話２からデジタル携帯電話３へ向かって無発声用転送データを送り、それを受信したデジタル携帯電話３で無発声用転送データから音声データを音声合成することと、逆に、デジタル携帯電話３からデジタル携帯電話２へ向かって無発声用転送データを送り、それを受信したデジタル携帯電話２で無発声用転送データから音声データを音声合成することの両方ができるようになっていた。
【０１０５】
ここに、第２実施形態の変形例として、無発声通話機能が使えるのは、どちらか一方の通信端末装置だけであり、それに伴い無発声用転送データの送信方向が一方通行である通信システムも考えられる。その様な通信システムの一例として、デジタル携帯電話２でのみ無発声通話機能が使え、無発声用転送データは、デジタル携帯電話２からデジタル携帯電話３にのみ送られる場合について図２を参照しながら説明する。
【０１０６】
その場合、デジタル携帯電話２では、無発声用転送データを送信するだけで、受信することはないので、受信部２２は無発声用転送データの受信に対応している必要はない。また、音声出力用音声データバッファ２６には、音声通話用転送データを変換した音声データが格納されるだけであり、その音声データと無発声用転送データを変換した音声データとを合成した音声データが格納されることはない。また、無発声用転送データを音声データに変換することはないので、音韻生成部３１、韻律生成部３２、声質データ格納部３３、音声合成部３４は不要である。また、受信割込処理は、第１実施形態で使用した図８の処理となる。
【０１０７】
一方、デジタル携帯電話３では、無発声用転送データを受信するだけで、送信することはないので、送信部２７は無発声用転送データの送信に対応している必要はない。使用者が属性を設定したり、ダイヤル文字列を設定したりすることもないので、図１１の通話中処理の内、Ｓ４２の無発声通話キー押下があったか否かの判別と、押下があった場合のＳ４３〜Ｓ４６に掛ける一連の処理は不要となる。
【０１０８】
次に、第３実施形態に係る別の通信端末装置について説明する。第３実施形態に係る通信端末装置は、前述の第１実施形態に係る通信端末装置と構成が類似しているので、それとの違いについて重点的に説明する。
【０１０９】
第１実施形態では、ダイヤル文字列は決まった複数の文字列の中から選択するようになっていた。それを自由に文字列を入力するように変更したのが、この通信端末装置である。
【０１１０】
図２に示すように、第１実施形態には複数のダイヤル文字列を記憶するためにダイヤル文字列記憶部３０があったが、第３実施形態ではそれは不要である。
【０１１１】
次に、図１２を参照して、第１実施形態のダイヤル文字列に相当する文字列を設定するための文字列設定画面５４について説明する。図１２は、文字列設定画面５４の模式図である。文字列設定画面５４には、文字列入力領域があり、そこへ文字キー１０で文字列を入力する。この例では、「わかった」という文字列が入力されている。文字列の入力後、決定キー９を押下するとその文字列が設定される。
【０１１２】
次に、動作の違いについて、図９の通話中処理のフローチャートを基に説明する。第１実施形態との処理の違いは、Ｓ１４の処理だけである。第１実施形態では、Ｓ１３で図５の属性設定画面５０で属性を設定後、図６のダイヤル文字列設定画面５３でダイヤル文字列を設定していたが、第３実施形態では、Ｓ１３で図５の属性設定画面５０で属性を設定後、Ｓ１４に代わって図１２の文字列設定画面５３で文字列を設定する。
【０１１３】
第３実施形態では、キー入力により文字列が入力されるが、ペン入力で文字列の入力がされるように構成してもよい。その場合、速記も解釈できるとより話す早さに近付けることができる。
【０１１４】
第３実施形態に係るデジタル携帯電話２では、文字列設定画面５４（図１２参照）にて文字キー１０を押下することにより文字列を設定し、また、属性設定画面５０（図６参照）にてダイヤル文字列に属性を設定する。属性が設定されると、声質データテーブル４４（図４参照）に記憶されている前記属性に対応した声質データの示す声質の音声データを音声合成部３４により合成する。その音声合成部３４によって合成された音声データをデジタル携帯電話３に送信することでデジタル携帯電話３に音声を送信する。これにより、デジタル携帯電話２では話者が声を出すことなく、文字列設定画面５４で設定した文字列の表す用件を、属性設定画面５０で設定した属性に対応した声質の声で、デジタル携帯電話３に伝えることができる。
【０１１５】
また、デジタル携帯電話２では、属性は男性、女性、（幼い）子供の別、及び、通常、怒り、喜び、悲しみの感情の別を設定できる。これにより、男性、女性、（幼い）子供の別、及び、通常、怒り、喜び、悲しみの感情の別を反映した声をデジタル携帯電話３から発声させることによって用件を伝えることができるので、受け手に微妙なニュアンスの違いを伝えることができ、円滑なコミュニケーションを図ることができる。
【０１１６】
また、デジタル携帯電話２では、文字列設定画面５４は、文字キー１０により文字列を入力するように構成されている。これにより、送り手が自由に文字列を作成することができ、伝えたい内容に設定できないことがなく、円滑なコミュニケーションを図ることができる。
【０１１７】
また、送り手はデジタル携帯電話２を使用することで、音声によらない通話を実現できる。デジタル携帯電話２は、いつも身に付いていることが多いので、誰かと連絡を取る時に非常に便利である反面、場所や状況を選ばず掛かってくることがあるので声を出すことができない場所や状況で特に問題であったが、音声によらない通話を実現することで、より一層使い勝手がよくなる。
【０１１８】
尚、第３実施形態は、第１実施形態に適用したが、前述の第２実施形態に適用してもよい。
【０１１９】
さらに、通信システム１をインターネット上で構築し、通信端末装置２と通信端末装置３とをインターネット４に接続し、通信端末装置２と通信端末装置３とを接続する経路上にある不図示のサーバが音韻生成部３１、韻律生成部３２、声質データ格納部３３、音声合成部３４を備えるようにする。その上で、前述の不図示のサーバで、一方の通信端末装置から送られてきた音声通話用転送データと無発声通話用転送データとを用い、無発声通話用転送データからパラメータのダイヤル文字列を読み上げて作成した音声データと、音声通話用転送データの音声データとを合成して新たな音声データを作成し、それを再度音声通話用転送データに変換させるようにする。そして、そのサーバで作成された音声通話用転送データを他方の通信端末装置に送るようにする。通信システム１は、このように構成してもよい。
【０１２０】
本発明は、前記第１実施形態から第３実施形態に限定されるものではなく、発明の趣旨を逸脱しない範囲で各種の変更を加えてもよいことは言うまでもない。
【０１２１】
通信端末装置は、デジタル携帯電話及びアナログ携帯電話に限るものではなく、ノートＰＣ、ＰＤＡ等でもよい。デジタル携帯電話には、ＰＨＳも当然に含む。
【図面の簡単な説明】
【０１２２】
【図１】第１実施形態に掛かる通信端末装置を用いた通信システム１の概略構成図である。
【図２】通信端末装置の機能ブロック図である。
【図３】ダイヤル文字列テーブル４０の概要を示す模式図である。
【図４】声質データテーブル４４の模式図である。
【図５】属性設定画面５０の模式図である。
【図６】ダイヤル文字列設定画面５３の模式図である。
【図７】音声送信割込処理のフローチャートである。
【図８】受信割込処理のフローチャートである。
【図９】デジタル携帯電話２での通話中の処理を表すフローチャートである。
【図１０】第２実施形態に掛かる通信システム１が備えるデジタル携帯電話２での受信割込処理のフローチャートである。
【図１１】デジタル携帯電話２での通話中の処理を表すフローチャートである。
【図１２】第３実施形態に掛かる通信端末装置であるデジタル携帯電話２で表示される文字列設定画面の模式図である。
【符号の説明】
【０１２３】
１  通信システム
２  デジタル携帯電話
３  デジタル携帯電話
４  公衆回線
２０  キー入力部
２１  音声入力部
２２  受信部
２４  表示部
２５  音声出力部
２７  送信部
３０  ダイヤル文字列記憶部
３１  音韻生成部
３２  韻律生成部
３３  声質データ格納部
３４  音声合成部
３５  制御部
４０  ダイヤル文字列テーブル
４４  声質データテーブル
【図１】
2007096713.tif 000003
【図２】
2007096713.tif 000004
【図３】
2007096713.tif 000005
【図４】
2007096713.tif 000006
【図５】
2007096713.tif 000007
【図６】
2007096713.tif 000008
【図７】
2007096713.tif 000009
【図８】
2007096713.tif 000010
【図９】
2007096713.tif 000011
【図１０】
2007096713.tif 000012
【図１１】
2007096713.tif 000013
【図１２】
2007096713.tif 000014